(57)【要約】【課題】着信した通話が、迷惑電話か否かの判断を、他の電話機のユーザーが行うことが可能な電話機を提供する。【解決手段】発信元電話番号を取得する発信元電話番号取得部と、前記発信元電話番号取得部が取得した前記発信元電話番号を記憶する記憶部と、通話内容を録音する録音部と、制御部と、を、備え、前記制御部は、前記通話の回線開放後に、前記録音部が録音した前記通話内容と、前記記憶部に記憶された前記発信元電話番号に関する情報と、を、所定の電話番号に送信することを特徴とする。【選択図】図３
2020123868.tif 000002
【特許請求の範囲】
【請求項１】
発信元電話番号を取得する発信元電話番号取得部と、
前記発信元電話番号取得部が取得した前記発信元電話番号を記憶する記憶部と、
通話内容を録音する録音部と、
制御部と、
を、備え、
前記制御部は、前記通話の回線開放後に、前記録音部が録音した前記通話内容と、前記記憶部に記憶された前記発信元電話番号に関する情報と、を、所定の電話番号に送信することを特徴とする電話機。
【請求項２】
前記制御部は、前記録音部が録音した前記通話内容と、前記発信元電話番号に関する情報と、を、前記所定の電話番号に送信した後、自機を遠隔操作の受け付け待機状態とすることを特徴とする請求項１記載の電話機。
【請求項３】
前記制御部は、前記発信元電話番号取得部が取得した前記発信元電話番号が、前記記憶部に記憶された所定の電話番号リストに含まれない場合、前記録音を行うことを特徴とする請求項２に記載の電話機。
【請求項４】
前記録音部は、前記通話内容の先頭から所定の時間だけ前記通話内容を録音することを特徴とする請求項１から３いずれかに記載の電話機。
【請求項５】
前記通話内容は、留守番電話機能によって前記録音部に録音されたものであることを特徴とする請求項１から３いずれかに記載の電話機。
【請求項６】
前記発信元電話番号に関する情報は、前記発信元電話番号の音声情報であることを特徴とする請求項１から５いずれかに記載の電話機。
【請求項７】
前記発信元電話番号に関する情報は、前記記憶部に前記発信元電話番号を記憶していることを示す情報であり、
前記制御部は、自機に対する前記遠隔操作に基づき、前記記憶部が記憶している前記発信元電話番号を、前記所定の電話番号リストに加えることを特徴とする請求項３記載の電話機。
【請求項８】
発信元電話番号を取得する発信元電話番号取得ステップと、
前記発信元電話番号取得ステップで取得した前記発信元電話番号を記憶する記憶ステップと、
通話内容を録音する録音ステップと、
前記通話の回線開放後に、前記録音ステップにおいて録音した前記通話内容と、前記記憶ステップにおいて記憶された前記発信元電話番号に関する情報と、を、所定の電話番号に送信するステップと、
を、有することを特徴とする電話機の制御方法。
【発明の詳細な説明】
【技術分野】
【０００１】
本発明は、電話機に関する。
【背景技術】
【０００２】
電話機において、ナンバーディスプレイ機能によって取得した発信元電話番号と、あらかじめ登録してある迷惑電話の電話番号と、を、照合し、一致する場合は、着信を拒否する迷惑電話防止機能が知られている。
【先行技術文献】
【特許文献】
【０００３】
【特許文献１】特開２００１−３０９０２６号公報
【発明の概要】
【発明が解決しようとする課題】
【０００４】
しかしながら、上述の背景技術では、ユーザーは、迷惑電話の着信を防止したい電話機に、あらかじめ迷惑電話の電話番号を登録しておかなければならない。迷惑電話の電話番号の登録は、通話終了後、着信した電話番号を、迷惑電話番号のリストに登録することによって行われる。このためには、ユーザーは、着信した通話が、迷惑電話であるか否かを、判断して登録を行う必要がある。しかし、認知機能が低下した高齢者などにとって、この判断は、困難を伴うことがある。
【０００５】
本発明は、上記問題点に鑑みてなされたものであり、着信した通話が、迷惑電話か否かの判断を、他の電話機のユーザーが行うことが可能な電話機を、提供するものである。
【課題を解決するための手段】
【０００６】
本発明の電話機は、発信元電話番号を取得する発信元電話番号取得部と、前記発信元電話番号取得部が取得した前記発信元電話番号を記憶する記憶部と、通話内容を録音する録音部と、制御部と、を、備え、  前記制御部は、前記通話の回線開放後に、前記録音部が録音した前記通話内容と、前記記憶部に記憶された前記発信元電話番号に関する情報と、を、所定の電話番号に送信することを特徴とする。
【発明の効果】
【０００７】
本発明によれば、着信した通話が、迷惑電話か否かの判断を、他の電話機のユーザーが行うことが可能な電話機を、提供することができる。
【図面の簡単な説明】
【０００８】
【図１】本発明の実施形態に係る電話機の、外観を示す図である。
【図２】本発明の実施形態に係る電話機の、構成を示すブロック図である。
【図３】本発明の実施形態に係る電話機の、動作の一例を示すフローチャートである。
【図４】本発明の実施形態に係る電話機の、動作の一例を示すフローチャートである。
【図５】本発明の実施形態に係る電話機の、動作の一例を示すフローチャートである。
【図６】従来の電話機の、動作を示すフローチャートである。
【発明を実施するための形態】
【０００９】
以下、本発明の電話機に係る実施形態について説明する。図１は、本発明の実施形態に係る電話機１の外観を示す図である。電話機１は、電話機本体２と、送受話器３、と、を備える。電話機本体２と、送受話器３と、は、無線、または有線で接続されている。以下、電話機本体２と送受話器３とが無線接続の場合、すなわちコードレスの、ナンバーディスプレイ機能対応電話機を例にとって説明する。
【００１０】
電話機本体２は、例えば、発信した通話の相手の電話番号や、着信した通話の発信元の電話番号等の、各種情報を表示可能な、表示部４を備える。ナンバーディスプレイ機能がＯＮの場合は、表示部４に、ナンバーディスプレイ表示５が、表示される。また、電話機本体２は、ユーザーが、ダイヤル操作を行うダイヤルボタン８、留守番電話設定を行う留守番電話設定ボタン６、各種設定操作を行うメニュー操作ボタン７、を備える。留守番電話設定ボタン６において、留守番電話機能がＯＮの時は、ランプが点灯する。この他にも、電話機本体２は、いろいろな機能の操作ボタンを備えるが、説明は省略する。
【００１１】
図２は、本発明の実施形態に係る電話機１の、構成を示すブロック図である。電話機本体２は、主制御部２０と、無線部２１と、ＲＡＭ(Random Access Memory)２２と、不揮発性メモリ２３と、公衆電話回線制御部２５と、発信元電話番号取得部２６と、表示部２７と、操作部２８と、を、備える。
【００１２】
主制御部２０（制御部）は、不揮発性メモリ２３に記憶されている制御プログラムに従って、電話機本体２を構成する各部を、制御する。不揮発性メモリ２３は、制御プログラム等を、記憶している。ＲＡＭ２２は、主制御部２０の主メモリとして、機能する。発信元電話番号取得部２６は、ナンバーディスプレイ機能を用いて、着信した通話の発信元の電話番号を取得する。取得した発信元の電話番号は、一旦ＲＡＭ２２（記憶部）に記憶される。公衆電話回線制御部２５は、公衆電話回線２４に接続される。主制御部２０は、公衆電話回線制御部２５を制御して、他の電話機と通話の回線の、閉結、及び解放の制御を行う。操作部２８は、図１で説明した、留守番電話設定ボタン６、メニュー操作ボタン７、ダイヤルボタン８等である。ユーザーは、発信元電話番号取得部２６の機能をＯＮにするには、図１の、メニュー操作ボタン７によって、ナンバーディスプレイ機能をＯＮに設定する。
【００１３】
図２に示すように、送受話器３は、主制御部３０と、ＲＡＭ(Random Access Memory)３２と、不揮発性メモリ３３と、無線部３１と、を備える。また、送受話器３の送話口に相当するマイク３７と、受話口に相当するスピーカー３６と、を、備える。
【００１４】
主制御部３０は、不揮発性メモリ３３に記憶されている制御プログラムに従って、送受話器３を構成する各部を制御する。不揮発性メモリ３３は、制御プログラム等を記憶している。ＲＡＭ３２は、主制御部３０の主メモリとして機能する。図１では図示していないが、送受話器３は、発信した通話の相手の電話番号や、着信した通話の発信元電話番号などを表示する表示部３４と、ダイヤする操作などを行う操作部３５と、を、備える。
【００１５】
電話機本体２と、送受話器３と、は、無線で接続されているコードレス電話機である。無線による接続は、無線部２１と、無線部３１と、を、介して行われる。
【００１６】
なお、本発明は、上述のコードレス電話を例にとって説明するが、親機と子機とを有する、いわゆる親子電話機や、携帯型の電話機などの、各種電話機であっても、同様に本発明を適用することが可能である。
【００１７】
次に、図６のフローチャートを参照して、従来の電話機の動作フローを説明する。なお、従来技術の電話機の外観は、本発明の図１の電話機１と、ブロック図は、本発明の図２と、同様である。
【００１８】
電話機１は、ナンバーディスプレイ契約がされていることが前提である。図６のフローチャートは、留守番電話機能がＯＦＦ、ナンバーディスプレイ機能がＯＮ、着信拒否機能がＯＮの場合を示している。着信拒否機能は、電話機１の不揮発性メモリ２３に記憶された、着信拒否の対象となる電話番号のリスト（以下、着信拒否リストと記す）と、ＲＡＭ２２に記憶された、着信した通話の発信元電話番号と、を、照合し、一致する電話番号があった場合、着信を拒否するものである。着信拒否機能は、着信し回線閉結後、通話を拒否するメッセージを送出するものや、着信自体を行わないものなどがある。
【００１９】
電話機１に対して着信があると（Ｓ１０１：Yes）、発信元電話番号取得部２６が、発信元の電話番号を、ナンバーディスプレイ機能を用いて、取得する（Ｓ１０２）。着信拒否リストに、取得した発信元の電話番号と、一致する電話番号がある場合（Ｓ１０３：Yes）、着信を拒否し（Ｓ１１４）、終了する。
【００２０】
取得した発信元電話番号が、着信拒否リストに一致する電話番号がない場合（Ｓ１０３：No）、電話機１のベルが鳴動する（Ｓ１０４）。電話機１のユーザーは、電話機１の送受話器３をオフフックすると、電話回線が閉結され（Ｓ１０５）、通話に移行する（Ｓ１４０）。ユーザーが、送受話器３をオンフックすると、通話が終了し、電話回線が解放される（Ｓ１４１）。ユーザーは、通話内容から、着信が迷惑電話であったか否かを、判断する。ユーザーが、迷惑電話であったと判断した場合は（Ｓ１４２：Yes）、電話機１のメニュー操作ボタン７を用いて、発信元電話番号を、着信拒否リストに登録する（Ｓ１４３）。迷惑電話ではないと判断した場合は（Ｓ１４２：No）、そのまま終了する。
【００２１】
電話機１のユーザーが、認知機能が低下した高齢者などの場合、例えば、巧妙な勧誘や詐欺の電話などは、迷惑電話か否かの判断が、難しい場合がある。同居している家族がいる場合は、判断を依頼することも可能であるが、家族が同居していない場合などは、判断を依頼することが困難を伴うことがあった。
【００２２】
また、着信拒否リストへの登録作業は、電話機１の操作に不慣れなユーザー、特に高齢者や、要介護者などにとっては、困難を伴う場合がある。高齢者や、要介護者などの家族が、同居、または近くに居住している場合は、登録作業を依頼することも可能であるが、遠方に居住している場合は、出向いて登録作業を行うことは容易ではない。
【００２３】
次に、図３のフローチャートを参照し、本発明の電話機１の動作フローを説明する。図３のフローチャートも、ナンバーディスプレイの契約がされていることが前提で、留守番電話機能がＯＦＦ、ナンバーディスプレイ機能ＯＮ、着信拒否機能がＯＮの場合を示している。電話機１に対して着信があると（Ｓ１：Yes）、発信元電話番号取得部２６が、ナンバーディスプレイ機能を用いて、発信元の電話番号を取得する（Ｓ２）。取得した発信元の電話番号は、一旦ＲＡＭ２２に記憶される。着信拒否リストに、取得した発信元の電話番号と一致する電話番号がある場合（Ｓ３：Yes）、着信を拒否し（Ｓ１４）、終了する。
【００２４】
着信した発信元電話番号が、着信拒否リストに一致する電話番号がない場合（Ｓ３：No）、電話機１のベルが鳴動する（Ｓ４）。電話機１のユーザーは、電話機１の送受話器３をオフフックすると、電話回線が閉結され（Ｓ５）、通話に移行する（Ｓ６）。通話移行とともに、通話内容の録音が開始される（Ｓ６）。録音した通話内容は、主制御部２０の制御に基づき、不揮発性メモリ２３（録音部）に記憶される。電話機１のユーザーが、送受話器３をオンフックし、回線が解放されると（Ｓ７）、録音は終了する（Ｓ８）。なお、回線の閉結と開放は、オフフックとオンフック操作に基づいて行われると説明しているが、送受話器３を電話機本体２のクレイドルに載置した状態で、ボタン操作による通話、いわゆるオンフック通話、であってもよい。
【００２５】
次に、電話機１は、録音した通話内容と、発信元の電話番号（発信元電話番号に関する情報）と、を、転送先に自動発信する。転送先は、あらかじめ設定してある所定の電話番号、例えば、電話機１のユーザーの、別居している家族などの電話機（以下、別居家族の電話機と記す）の、電話番号である。電話機１は、所定の転送先に自動発信し、転送先から応答があると、回線が閉結される（Ｓ９）。回線が閉結されると、電話機１の主制御部２０は、ＲＡＭ２２に記憶されている、発信元の電話番号と、ステップ６からステップ８の間で、録音された通話の録音音声と、を、送信する（Ｓ１０）。発信元の電話番号は、例えば、合成音声などの音声情報として、送信される。
【００２６】
ステップ１０の発信を着信した別居家族の電話機のユーザーは、転送された通話の録音音声を聞き、迷惑電話か否かを判断する。別居家屋の電話機のユーザーが、迷惑電話ではないと判断した場合は、そのまま回線を切断して終了する（図３ではこの動作フローは省略している）。別居家族の電話機のユーザーが、転送された通話の録音音声から、迷惑電話として、今後着信を拒否すべき電話番号であると判断した場合は、遠隔操作によって、電話機１に対して、着信拒否リストへの登録作業を行う。別居家族の電話機は、一般的なプッシュ式の電話機であればよい。
【００２７】
遠隔操作は、プッシュ式電話機のＤＴＭＦ（Dual-Tone Multi-Frequency）信号による、公知の技術を用いる。最初に、電話機１は、暗証番号入力を求める音声ガイダンスを送信する。暗証番号は、あらかじめ、電話機１のユーザーと、別居家族の電話機のユーザーとの間で、定められ、電話機１に登録されている。別居家族の電話機から、暗証番号が送信され、電話機１によって認証されると、次に、電話機１は、録音音声と、発信元の電話番号を送信する。
【００２８】
その後、例えば、電話機１は、「迷惑電話番号に登録する電話番号を、市外局番から押して、最後に＃（シャープ）を押してください」という音声ガイダンスを送信する。別居家族の電話機のユーザーは、迷惑電話番号に登録する電話番号を入力すると、ユーザーによって入力された電話番号が、別居家族の電話機から、電話機１へＤＴＭＦ信号で送信される。これを電話機１が受信すると（Ｓ１１：Yes）、電話機１は、例えば、「迷惑電話に登録する電話番号は○○―○○○○―○○○○ですか？正しい場合は１（イチ）を、間違っている場合は、もう一度電話番号と＃を押してください」という音声ガイダンスを、別居家族の電話機に送信する。別居家族の電話機のユーザーが、１（イチ）の入力操作を行うと、電話機１は、受信した電話番号を、迷惑電話番号として、不揮発性メモリ２３に記憶されている着信拒否リストに登録する（Ｓ１２）。登録が完了すると、回線は解放される（Ｓ１３）。
【００２９】
電話機１は、録音音声と、発信元電話番号と、を、送信した後（Ｓ１０）、ＤＴＭＦ信号を受信する待機状態（遠隔操作の受け付け待機状態）になる（Ｓ１１）。所定時間経過しても、ＤＴＭＦ信号が受信されない場合（Ｓ１５：Yes）は、別居家族の電話機のユーザーが不在で、留守番電話に切り替わる場合などが考えられるので、回線を開放する（Ｓ１６）。この所定の時間は、例えば１分程度でよい。
【００３０】
これによって、電話機１に着信した通話が、迷惑電話か否かを、別居家族の電話機のユーザーが、判断することが可能となる。また、電話機１に着信した通話の、発信元電話番号も送信されるので、遠隔操作によって、電話機１の着信拒否リストに登録することができる。高齢者等は、自ら迷惑電話か否かの判断を行うことなく、また電話機１に対する操作を行うことなく、迷惑電話番号を、着信拒否リストに登録することができる。
【００３１】
また、電話機１のユーザーが、悪質な勧誘の電話に対して、契約に同意してしまった場合も、別居家族の電話機のユーザーは、通話内容と発信元電話番号を知ることができるので、速やかにクーリングオフ等の対応を取ることが可能となる。
【００３２】
なお、別居家族の電話機のユーザーは、録音音声と、発信元電話番号と、を、受信した直後に、着信拒否リスト登録操作を行う必要はない。所定時間経過（Ｓ１５：Yes）し、回線開放（Ｓ１６）された後でも、通常の遠隔操作手順によって、電話機１を操作し、着信拒否リストに登録操作を行ってもよい。別居家族の電話機のユーザーが不在で、留守番電機能によって、電話機１の録音音声と発信元電話番号を受信、録音した場合も同様である。
【００３３】
（変形例１）
上述の実施形態では、電話機１に着信した通話の発信元電話番号は、音声情報として送信されるため、別居家族の電話機のユーザーは、電話番号を記録しておく必要がある。また別居家族の電話機のユーザーは、遠隔操作時に、電話番号を入力する必要がある。しかし、発信元電話番号は、取得された段階で（Ｓ２）、電話機１のＲＡＭ２２に記憶されている。そのため、別居家族の電話機のユーザーは、迷惑電話と判断した場合は、単に着信拒否リストに登録するという操作だけを、行うようにしてもよい。
【００３４】
例えば、電話機１が送信する音声ガイダンスは、「この録音された通話の発信元電話番号を、迷惑電話番号に登録する場合は、１（イチ）を押して、最後に＃（シャープ）を押してください」としてもよい。この音声ガイダンスは、電話機１に着信した通話の、発信元電話番号が、電話機１のＲＡＭ２２に記憶されていることを示している（発信元電話番号を記憶していることを示す情報）。迷惑電話番号として登録する操作を行った場合は、ＲＡＭ２２に記憶されている発信元電話番号が、不揮発性メモリ２３に記憶されている着信拒否リストに登録される。もちろん、この音声ガイダンスで、発信元電話番号を音声情報として合わせて送信してもよい。別居家族の電話機のユーザーは、発信元電話番号を入力する操作の必要はないが、音声情報として、発信元電話番号を確認することができる。
【００３５】
（変形例２）
図４のフローチャートは、本発明を、留守番電話機能がＯＮの状態の電話機１に、適用した実施形態の動作フローを示す図である。ここでは、電話機１は、留守番電話機能がＯＮ、ナンバーディスプレイ機能ＯＮ、着信拒否機能がＯＮである。ベル鳴動（Ｓ４）までは、図３の実施形態と同様である。電話機１のユーザーが、送受話器３をオフフックした場合は（Ｓ３０：Yea）、回線が閉結され（Ｓ３５）、通話移行とともに録音が開始され（Ｓ３６）、オフフックにより回線が解放され（Ｓ３７）、録音が終了する（Ｓ３８）。この後は、図３の「２」へ進み、以下同様である。
【００３６】
これに対し、ステップ３０でオフフックされない場合（Ｓ３０：No）は、留守番電話機能が動作し、回線が閉結され（Ｓ３１）、通話の録音が開始される（Ｓ３２）。留守番電話機能による通話の録音は、不揮発性メモリ２３に記憶される。通話が終了し、留守番電話機能の録音が終了すると（Ｓ３３）、回線が解放される（Ｓ３４）。この後は、図３の「２」へ進む。転送先に送信される録音音声は、留守番電話機能によって録音されたものである。以下は、図３の実施形態と同様である。
【００３７】
（変形例３）
図３フローチャートの、録音終了（Ｓ８）は、オンフック／回線開放（Ｓ７）の後である必要はない。例えば、勧誘の電話などは、長時間に及ぶ場合がある。迷惑電話か否かは、通常最初の数分聞けば判断可能な場合が多いため、例えば、録音開始（Ｓ６）から、所定の時間経過した段階で、通話が継続しているか否かにかかわらず、録音終了（Ｓ８）してもよい。これによって、電話機１は、不必要に長時間の録音音声を、別居家族の電話機に送信しなくて済む。所定の時間は、例えば５分程度である。なお、ステップ９の転送先に自動発信は、ステップ６で開始された通話が終了してから行う。
【００３８】
（変形例４）
図５のフローチャートは、図３のフローチャートに、電話帳登録番号との一致判定（Ｓ４０）を追加したものである。電話帳は、電話機１からよく発信する電話番号をリストにしたもので、不揮発性メモリ２３に記憶されている。電話帳に記憶されている電話番号は、迷惑電話番号ではないため、着信拒否リストと一致せず（Ｓ３：No）、さらに、電話帳登録番号と一致するので（Ｓ４０：Yes）、所定の転送先電話番号でない限り（Ｓ４１：No）、ベル鳴動（Ｓ４）から通常の通話に移行する。この場合、通話の録音は、行われない。
【００３９】
これに対し、所定の転送先の電話番号と一致する場合は（Ｓ４１：Yes）、別居家族の電話機からの、遠隔操作による、着信拒否リスト登録操作の可能性があるため、図３の「３」に進む。この時、別居家族の電話機からのＤＴＭＦ信号が受信されない場合は（Ｓ１１：No）、通常の通話なので、ステップ１５には進まず、電話機１は、通話状態を維持する（この動作フローは、図示せず）。
【００４０】
登録電話番号と一致している場合、発信元は安心して通話できる電話番号である。この場合、ベル鳴動時に（Ｓ４）、着信音を変えたり、安心して通話できる電話番号であることを、表示部４に表示したりしてもよい。
【００４１】
電話帳登録番号と一致しない場合（Ｓ４０：No）は、着信拒否リストにも電話帳にも一致しない電話番号のため、図３の「１」に進み、通話は録音される。さらに、図５の「１」から、図４の「１」へ進んでもよい。この場合、着信に対してベルは鳴動せず、全て留守番電話機能により、通話が録音される。
【００４２】
また、上述の実施形態、及び変形例は、着信拒否リストに登録するとして説明したが、録音音声から、安心して通話できる電話番号であると判断した場合は、発信元電話番号を、電話帳に登録してもよい。
【００４３】
上述の実施形態、及び変形例は、適宜組み合わせて実施することが可能である。
【００４４】
以上説明したように、本発明の実施形態は、発信元電話番号を取得する発信元電話番号取得部と、前記発信元電話番号取得部が取得した前記発信元電話番号を記憶する記憶部と、通話内容を録音する録音部と、制御部と、を、備え、前記制御部は、前記通話の回線開放後に、前記録音部が録音した前記通話内容と、前記記憶部に記憶された前記発信元電話番号に関する情報と、を、所定の電話番号に送信することを特徴とする。これによって、発信元の電話番号と、録音した通話内容と、が、あらかじめ設定された所定の電話番号に送信されるので、情報を受け取った所定の電話番号の電話機のユーザーは、通話内容から、発信元電話番号が、着信拒否すべき電話番号か、着信してもよい電話番号か、を、判断することができる。
【００４５】
また、本実施形態は、前記制御部は、前記録音部が録音した前記通話内容と、前記発信元電話番号に関する情報と、を、前記所定の電話番号に送信した後、自機を遠隔操作の受け付け待機状態とすることを特徴とする。これによって、所定の電話番号のユーザーからの、遠隔操作を受け付けることができる。情報を受け取った所定の電話番号の電話機のユーザーは、遠隔操作によって、発信元電話番号を、着信拒否すべき電話番号、または着信してもよい電話番号に、設定することができる。
【００４６】
また、本実施形態は、前記制御部は、前記発信元電話番号取得部が取得した前記発信元電話番号が、前記記憶部に記憶された所定の電話番号リストに含まれない場合、前記録音を行うことを特徴とする。これによって、発信元の電話番号と、録音した通話内容と、の、送信は、所定の電話番号リストに含まれていない場合にのみ、行われる。所定の電話番号リストは、着信を拒否すべき迷惑電話番号、または／及び、着信してもよい電話番号である。この所定の電話番号リストに含まれない電話番号からの着信に関して、録音が行われる。これによって、判断が不要な電話番号からの着信について、録音した通話内容と、発信元の電話番号と、を、所定の電話番号に送信しなくて済む。
【００４７】
また、本実施形態は、前記録音部は、前記通話内容の先頭から所定の時間だけ前記通話内容を録音することを特徴とする。これによって、着信拒否すべき電話番号、または着信してもよい電話番号の判断は、最初の所定の時間だけで、多くの場合は判断可能である。長い通話の場合も、不必要な通話録音を送信する必要がなくなる。
【００４８】
また、本実施形態は、前記通話内容は、留守番電話機能によって前記録音部に録音されたものであることを特徴とする。これによって、通話内容の録音は、通話中のものだけでなく、留守番電話機能によって録音された場合も含まれる。これによって、留守番電話によって録音された電話に関しても、所定の電話番号に送信され、情報を受け取った所定の電話番号の電話機のユーザーは、着信拒否すべき電話番号、または着信してもよい電話番号、が、判断できる。
【００４９】
また、本実施形態は、前記発信元電話番号に関する情報は、前記発信元電話番号の音声情報であることを特徴とする。これによって、発信元の電話番号に関する情報は、音声情報によって、所定の電話番号に送信されるので、これを聞いたユーザーは、録音された通話内容の発信元電話番号を知ることができる。
【００５０】
前記発信元電話番号に関する情報は、前記記憶部に前記発信元電話番号を記憶していることを示す情報であり、前記制御部は、自機に対する前記遠隔操作に基づき、前記記憶部が記憶している前記発信元電話番号を、前記所定の電話番号リストに加えることを特徴とする。これによって、発信元電話番号は、電話機に記憶されているので、所定の電話番号に、発信元電話番号を送信する必要がなくなる。
【００５１】
本発明は、上述した実施形態に限られるものではなく、特許請求の範囲及び明細書全体から読み取れる発明の要旨、或いは思想に反しない範囲で適宜変更可能であり、そのような変更を伴う電話機も、また本発明の技術的範囲に含まれる。
【産業上の利用可能性】
【００５２】
本発明は、電話機に好適に採用され得る。
【符号の説明】
【００５３】
１…電話機、２…電話機本体、３…送受話器、４…表示部、５…ナンバーディスプレイ表示、６…留守番電話設定ボタン、７…メニュー操作ボタン、８…ダイヤルボタン、２０…主制御部、２１…無線部、２２…ＲＡＭ、２３…不揮発性メモリ、２４…公衆電話回線、２５…公衆電話回線制御部、２６…発信元電話番号取得部、２７…表示部、２８…操作部、３０…主制御部、３１…無線部、３２…ＲＡＭ、３３…不揮発性メモリ、３４…表示部、３５…操作部、３６…スピーカー、３７…マイク
【図１】
2020123868.tif 000003
【図２】
2020123868.tif 000004
【図３】
2020123868.tif 000005
【図４】
2020123868.tif 000006
【図５】
2020123868.tif 000007
【図６】
2020123868.tif 000008